(57)【要約】【課題】配線による電気的接続不良の発生および配線のリールとの接触を防止すること。【解決手段】ステッピングモータ７と定位置検出用スイッチ１１とＬＥＤ１６とを同一回路基板１５上に配置するとともに、回路基板１５および取付基板２側にそれぞれ互いに嵌め合い可能なコネクタ１７，１９を設け、回路基板１５のコネクタ１７を取付基板２側のコネクタ１９に嵌めることによって、両コネクタ１７，１９を電気的に接続するとともに回路基板１５を反射板２２と共に取付基板２側に固定する。【選択図】図１
2005052485.tif 000002
【特許請求の範囲】
【請求項１】
取付基板と該取付基板に固定される複数のリール装置とを備える小型ドラムユニットであって、各リール装置は、表面にシンボルマークが配置された円筒状リールと、該円筒状リールの内側に配され、該リールを回転駆動するステッピングモータと、前記円筒状リールの内側に配され、前記シンボルマークの回転定位置を検出するための定位置検出用スイッチと、前記円筒状リールの内側に配されるＬＥＤと、前記円筒状リールの内側に配され、前記ＬＥＤの発した光を反射して前記シンボルマークを後方から照射する反射板とを備えて構成される小型ドラムユニットにおいて、
前記ステッピングモータと前記定位置検出用スイッチと前記ＬＥＤとを同一回路基板上に配置するとともに、該回路基板および前記取付基板側にそれぞれ互いに嵌め合い可能なコネクタを設け、前記回路基板のコネクタを前記取付基板側のコネクタに嵌めることによって、前記両コネクタを電気的に接続するとともに前記回路基板を前記反射板と共に前記取付基板側に固定することを特徴とする小型ドラムユニット。
【請求項２】
前記ＬＥＤを前記反射板の中央に配置したことを特徴とする請求項１記載の小型ドラムユニット。
【請求項３】
前記円筒状リールに前記定位置検出用スイッチを作動させるための遮光板を設けたことを特徴とする請求項１記載の小型ドラムユニット。
【発明の詳細な説明】
【技術分野】
【０００１】
本発明は、パチンコ遊技機、スロットマシンなど遊技機における小型ドラムユニットに関する。
【背景技術】
【０００２】
パチンコ遊技機、スロットマシンなど遊技機として、小型ドラムユニットを備えたものが知られており、小型ドラムユニットとして、取付基板と取付基板に固定される複数のリール装置とを備え、シンボルマークが表面に配置されたリールを１列あるいは３行３列などマトリクス状に配置可能で、各リールを回転、停止させることによって様々な演出を行なうとともに、各リールのシンボルマークを後方から明るく照らし出す照明手段を具備したものが知られている（例えば、特許文献１参照）。
【０００３】
図５は、照明手段を備えた従来の小型ドラムユニットの平面図、図６は、小型ドラムユニットの断面図をそれぞれ示している。
【０００４】
図５及び図６において、小型ドラムユニット３０は、当該小型ドラムユニット３０を遊技機の所定位置（例えば、パチンコ遊技機の遊技盤中央部の凹部）に取り付けるための取付基板３１と、取付基板３１上に固定された回路基板３２と、回路基板３２上に固定された３つのリール装置３３とを備える。各リール装置３３は、「７」、ベル（鐘）など複数のシンボルマークが一列に印刷されたフィルム３４を表面に貼着した円筒状リール３５（図５においては、３つのリール装置のうち２つのリール装置についてはリールの図示を省略している。）と、回路基板３２に固定されるとともに円筒状リール３５の内側に配置され、リール３５を回転駆動するステッピングモータ３６と、円筒状リール３５の内側に配され、シンボルマークの回転定位置を検出するためのスイッチ３７と、円筒状リール３５の内側に配され、回路基板３２に固定されたＬＥＤ３８と、回路基板３２に固定され、ＬＥＤ３８の発した光を反射してシンボルマークを後方から照射し、遊技機の前面にシンボルマークを明るく照らし出すための反射板３９とを備える。
【特許文献１】特開２００２−１６５９５９公報
【発明の開示】
【発明が解決しようとする課題】
【０００５】
しかし、上記従来の小型ドラムユニット３０は、回路基板３２上にステッピングモータ３６および定位置検出用スイッチ３７への配線のための元部側コネクタ４０を固定するとともに、ステッピングモータ３６の上に上記回路基板３２とは別の中継用基板４１を設置してこの中継用基板４１に定位置検出用スイッチ３７への配線のための中継側コネクタ４２を固定し、元部側コネクタ４０と中継側コネクタ４２との間をフレキシブル配線板やハーネスなどの配線４３によって接続している。このため、コネクタ４０，４２と配線４３との接続部で電気的接続不良が発生しやすく、また、配線４３が回転中のリール３５に接触するなどの不具合が発生しやすいという問題があった。
【０００６】
また、上記従来の小型ドラムユニット３０によると、ＬＥＤ３８が回路基板３２に固定されており、この位置は円筒状リール３５の回転軸方向の端部に対応する位置となるため、反射板３９を用いていても照射範囲が限定、偏在し、シンボルマーク全体を均一に照らし出すことができず、照明効果が不十分であるという問題があった。
【０００７】
また、上記従来の小型ドラムユニット３０は、ステッピングモータ３６の回転軸４４に連結部材４５を嵌合固定し、この連結部材４５に円筒状リール３５の軸部４６を嵌合固定させることによってステッピングモータ３６の回転を円筒状リール３５に伝達するように構成されている。そして、中継用基板４１に定位置検出用スイッチ３７を固定するとともに連結部材４５の周面に遮光板４７を突設し、ステッピングモータ３６の回転により遮光板４７が定位置検出用スイッチ３７の発光部の光を遮光して受光部が受光しなくなるタイミングによって、円筒状リール３５の円周方向における基準位置つまり定位置を決定するようにしている。したがって、円筒状リール３５を組み付ける際に、円筒状リール３５の円周方向において遮光板４７との位置合わせが必要となり、このため、円筒状リール３５の組付作業が煩雑になるという問題がある。
【０００８】
本発明は、上記のような従来技術の問題点を解決し、電気的接続不良を防止するとともに配線が回転中のリールに接触する不具合を解消することができる小型ドラムユニットを提供することを目的とする。また、本発明は、照明範囲が限定、偏在する不具合を解消し、シンボルマーク全体を均一に照明することができる小型ドラムユニットを提供することを目的とする。また、本発明は、円筒状リールと遮光板との煩雑な位置合わせを不要にし、円筒状リールの組付作業を容易に行なうことができる小型ドラムユニットを提供することを目的とする。
【課題を解決するための手段】
【０００９】
本発明の小型ドラムユニットは、取付基板と該取付基板に固定される複数のリール装置とを備える小型ドラムユニットであって、各リール装置は、表面にシンボルマークが配置された円筒状リールと、該円筒状リールの内側に配され、該リールを回転駆動するステッピングモータと、前記円筒状リールの内側に配され、前記シンボルマークの回転定位置を検出するための定位置検出用スイッチと、前記円筒状リールの内側に配されるＬＥＤと、前記円筒状リールの内側に配され、前記ＬＥＤの発した光を反射して前記シンボルマークを後方から照射する反射板とを備えて構成される小型ドラムユニットにおいて、前記ステッピングモータと前記定位置検出用スイッチと前記ＬＥＤとを同一回路基板上に配置するとともに、該回路基板および前記取付基板側にそれぞれ互いに嵌め合い可能なコネクタを設け、前記回路基板のコネクタを前記取付基板側のコネクタに嵌めることによって、前記両コネクタを電気的に接続するとともに前記回路基板を前記反射板と共に前記取付基板に固定することを特徴とする。
【００１０】
本発明の小型ドラムユニットによると、ステッピングモータと定位置検出用スイッチとＬＥＤとを同一回路基板上に配置するとともに、回路基板のコネクタを取付基板側のコネクタに嵌めることによって、両コネクタを電気的に接続するとともに回路基板を反射板と共に取付基板側に固定するようにしたため、従来技術のような配線のためのフレキシブル配線板やハーネスなどが不要となり、配線による電気的接続不良の発生および配線のリールとの接触を防止することができる。
【００１１】
また、前記ＬＥＤを前記反射板の中央に配置することにより、シンボルマークに対する照明範囲の限定、偏在を防止でき、シンボルマーク全体を均一に照明することが可能になる。
【００１２】
また、前記円筒状リールに前記定位置検出用スイッチを作動させるための遮光板を設けることにより、円筒状リールを組み付ける際に、円筒状リールの円周方向において遮光板との位置合わせが不要となり、このため、円筒状リールの組付作業を容易に行うことができるようになる。
【発明を実施するための最良の形態】
【００１３】
以下、本発明の実施形態を図面に基づいて説明する。
【００１４】
図１は、本発明の一実施形態に係る小型ドラムユニットの平面図、図２は、同小型ドラムユニットの断面図、図３は、同小型ドラムユニットの分解斜視図、図４は、同小型ドラムユニットが組み込まれたパチンコ遊技機の概略正面図をそれぞれ示す。
【００１５】
図１〜図３に示す小型ドラムユニット１は、例えば図４に示すように、パチンコ遊技機１００の遊技盤１０１の中央の凹部１０２に組み込まれ、始動入賞口１０３に遊技球が入賞することを始動条件として各種演出（リーチ演出など）を行なう特別図柄変動装置として使用される。
【００１６】
小型ドラムユニット１は、図１〜図３に示すように、当該小型ドラムユニット１を遊技機の所定位置（例えば、図４に示すようなパチンコ遊技機１００の遊技盤１０１中央部の凹部１０２）に取り付けるための取付基板２を備える。取付基板２上には、複数例えば３つのリール装置３が固定される。
【００１７】
各リール装置３は、「７」、ベル（鐘）など複数のシンボルマークが一列に印刷されたフィルム４を表面に貼着した円筒状リール５（図１においては、３つのリール装置３Ａ，３Ｂ，３Ｃのうちリール装置３Ａについては、ステッピングモータ７、リール５等の図示を省略し、リール装置３Ｂについてはリール５の図示を省略している。）を備える。円筒状リール５の上端部には、複数のアーム部６が円筒状リール５の平面視中心部に向かって一体成形されており、アーム部６の先端部つまり円筒状リール５の平面視中心部には、後述するステッピングモータ７の回転軸８に嵌合固定された連結部材９に嵌合固定される軸部１０が一体成形されている。また、アーム部６には、後述する定位置検出用スイッチ１１の発光素子１２の光を遮光して受光素子１３で受光されないようにする遮光板１４が設けられている。
【００１８】
また、各リール装置３は、ほぼ長方形状の回路基板１５を備える。回路基板１５の一方の面１５ａには、円筒状リール５を回転駆動するステッピングモータ７が電気的に接続されながら固定されている。また、回路基板１５の他方の面１５ｂの上端部には、シンボルマークの回転定位置を検出するための定位置検出用スイッチ１１（本実施形態では、発光素子１２と受光素子１３とからなる光電式スイッチ）が電気的に接続されながら固定されている。また、回路基板１５の他方の面１５ｂの中央部には、発光素子（ＬＥＤ）１６が電気的に接続されながら固定されている。ＬＥＤ１６は、赤色、青色、緑色のいずれか一色のＬＥＤであってもよいし、あるいは、これら三色のＬＥＤからなりその点灯組合せによって三色の他に複数色の光を発光するものであってもよい。また、回路基板１５の下端部には、回路基板１５のプリント配線を介してステッピングモータ７、定位置検出用スイッチ１１およびＬＥＤ１６の各端子と電気的に接続されたコネクタ１７が固定されている。
【００１９】
このように、ステッピングモータ７と定位置検出用スイッチ１１とＬＥＤ１６は、同一回路基板１５に配置されている。
【００２０】
また、各リール装置３は、取付基板２に固定される別の回路基板１８（ベース回路基板という。）を備える。このベース回路基板１８には、上記回路基板１５のコネクタ１７が嵌め込まれることによって回路基板１５を固定するとともに互いに電気的に接続されるコネクタ１９が設けられている。
【００２１】
また、各リール装置３は、断面ほぼＬ字状の取付部材２０を備える。取付部材２０は、ベース回路基板１８に固定される固定板部２１と、ＬＥＤ１６の発した光を反射して円筒状リール５の表面のシンボルマークを後方から照射する反射板部２２とを構成している。反射板部２２には、定位置検出用スイッチ１１、ＬＥＤ１６およびコネクタ１７がそれぞれ通る窓２３，２４および２５が形成されている。
【００２２】
次に、上記のように構成される小型ドラムユニット１の組立方法を説明する。
【００２３】
まず、取付基板２にベース回路基板１８をねじ止めして固定するとともに、回路基板１５にステッピングモータ７と定位置検出用スイッチ１１とＬＥＤ１６とを固定しておく。次に、取付部材２０に対し、定位置検出用スイッチ１１、ＬＥＤ１６およびコネクタ１７を各々反射板部２２の対応する窓２３，２４および２５に通して回路基板１５と取付部材２０とを組み合わせた状態にし、回路基板１５側のコネクタ１７をベース回路基板１８側のコネクタ１９に嵌合する。この嵌合作業により回路基板１５は取付部材２０と共にベース回路基板１８に固定される。そして、取付部材２０の固定板部２１をベース回路基板１８にねじ止めするとともにステッピングモータ７のフランジ部２６を固定板部２１にねじ止めすることにより、ベース回路基板１８に取付部材２０および回路基板１５を強固に固定する。次に、ステッピングモータ７の連結部材９に円筒状リール５の軸部１０を嵌合させることにより、円筒状リール５をステッピングモータ７の回転軸８に連結する。
【００２４】
このような作業によって小型ドラムユニット１は組み立てられる。この組立作業においては、円筒状リール５と定位置検出用スイッチ１１との位置合わせは不要となる。なぜならば、遮光板１４は円筒状リール５に設けられており、遮光板１４が定位置検出用スイッチ１１の位置を通過するときの円筒状リール５の回転位置は一義的に決まり、このとき遊技盤１０１の正面に表示されるシンボルマークは常に同じシンボルマークとなるからである。
【００２５】
小型ドラムユニット１の作動時、ＬＥＤ１６は反射板部２２の中央に配置されているため、ＬＥＤ１６の光はシンボルマーク全体を後方から均一に照射するようになる。なお、円筒状リール５の回転時、遮光板１４は、取付部材２０の反射板部２２に設けられた切欠部２７，２７を通過するため、反射板部２２によって円筒状リール５の回転が邪魔されることはない。
【００２６】
以上説明したように、本実施形態の小型ドラムユニット１は、取付基板２と取付基板２に固定される複数のリール装置３とを備える小型ドラムユニットであって、各リール装置３は、表面にシンボルマークが配置された円筒状リール５と、円筒状リール５の内側に配され、リール５を回転駆動するステッピングモータ７と、円筒状リール５の内側に配され、シンボルマークの回転定位置を検出するための定位置検出用スイッチ１１と、円筒状リール５の内側に配されるＬＥＤ１６と、円筒状リール５の内側に配され、ＬＥＤ１６の発した光を反射してシンボルマークを後方から照射する反射板（反射板部２２）とを備えて構成される小型ドラムユニットにおいて、ステッピングモータ７と定位置検出用スイッチ１１とＬＥＤ１６とを同一回路基板１５上に配置するとともに、回路基板１５および取付基板２側にそれぞれ互いに嵌め合い可能なコネクタ１７，１９を設け、回路基板１５のコネクタ１７を取付基板２側のコネクタ１９に嵌めることによって、両コネクタ１７，１９を電気的に接続するとともに回路基板１５を反射板２２と共に取付基板２側に固定するようにした。
【００２７】
このように、ステッピングモータ７と定位置検出用スイッチ１１とＬＥＤ１６とを同一回路基板１５上に配置するとともに、回路基板１５のコネクタ１７を取付基板２側のコネクタ１９に嵌めることによって、両コネクタ１７，１９を電気的に接続するとともに回路基板１５を反射板２２と共に取付基板２側に固定するようにしたため、従来技術のような配線のためのフレキシブル配線板やハーネスなどが不要となり、配線による電気的接続不良の発生および配線のリールとの接触を防止することができる。
【００２８】
また、ＬＥＤ１６を反射板２２の中央に配置したことにより、シンボルマークに対する照明範囲の限定、偏在を防止でき、シンボルマーク全体を均一に照明することが可能になる。
【００２９】
また、円筒状リール５に定位置検出用スイッチ１１を作動させるための遮光板１４を設けたことにより、円筒状リール５を組み付ける際に、円筒状リール５の円周方向において遮光板１４との位置合わせが不要となり、このため、円筒状リール５の組付作業を容易に行うことができるようになる。
【図面の簡単な説明】
【００３０】
【図１】本発明の一実施形態に係る小型ドラムユニットの平面図である。
【図２】同小型ドラムユニットの断面図である。
【図３】同小型ドラムユニットの分解斜視図である。
【図４】同小型ドラムユニットが組み込まれたパチンコ遊技機の概略正面図である。
【図５】照明手段を備えた従来の小型ドラムユニットの平面図である。
【図６】小型ドラムユニットの断面図である。
【符号の説明】
【００３１】
１    小型ドラムユニット
２    取付基板
３    リール装置
５    円筒状リール
７    ステッピングモータ
１１    定位置検出用スイッチ
１４    遮光板
１５    回路基板
１６    ＬＥＤ
１７，１９    コネクタ
２２    反射板部（反射板）
【図１】
2005052485.tif 000003
【図２】
2005052485.tif 000004
【図３】
2005052485.tif 000005
【図４】
2005052485.tif 000006
【図５】
2005052485.tif 000007
【図６】
2005052485.tif 000008